【手続補正書】
【提出日】平成29年11月30日(2017.11.30)
【手続補正１】
【補正対象書類名】特許請求の範囲
【補正対象項目名】全文
【補正方法】変更
【補正の内容】
【特許請求の範囲】
【請求項１】
ベース部分と、前記ベース部分から延び、かつ使用者の鼻孔に嵌入可能な一対の鼻突起とを有する顔面取付部であって、該顔面取付部の前記ベース部分は、前記一対の鼻突起の間にへこみ領域を有する、顔面取付部と、
ガス源からのガスの流れを受け入れるガス入り口と、前記ガスの流れを前記顔面取付部の前記一対の鼻突起に供給するガス出口とを有するガス流マニホルド部と、
を含む鼻カニューレアセンブリであって、
前記ガス流マニホルド部は、前記ガス流マニホルド部の前記出口を前記顔面取付部の前記一対の鼻突起に流体的に接続するために、前記顔面取付部の前記ベース部分によって受け入れられるように構成され、前記ガス流マニホルド部は、使用時に、使用者の人中に隣接して位置するように構成された前記ベース部分の領域において、前記顔面取付部の前記ベース部分と前記ガス流マニホルド部との間に空隙を確立し、それにより、使用時に、前記ガス流マニホルド部から前記使用者の隔壁に作用する圧力をなくす、または少なくとも軽減するための溝を前記出口においてさらに含み、前記ガス流マニホルド部の前記出口の前記溝は、前記出口の周縁の両側にある、対向する凹部の対によって形成される、鼻カニューレアセンブリ。
【請求項２】
前記ガス流マニホルド部は、前記顔面取付部よりも相対的に硬質な材料から形成される、請求項１に記載の鼻カニューレアセンブリ。
【請求項３】
前記ガス流マニホルド部は、ポリカーボネートなどの実質的に剛性のプラスチック材料から形成される、請求項１または２に記載の鼻カニューレアセンブリ。
【請求項４】
前記顔面取付部は、シリコーンなどの実質的に軟質のプラスチック材料から形成される、請求項１〜３のいずれか一項に記載の鼻カニューレアセンブリ。
【請求項５】
前記へこみ領域は、前記ガス流マニホルド部の前記出口の前記周縁に対して相補的である、請求項１〜４のいずれか一項に記載の鼻カニューレアセンブリ。
【請求項６】
前記ガス流マニホルド部の前記出口の前記周縁は、前記顔面取付部の前記ベース部分の内部に封止可能に係合するように構成される、請求項５に記載の鼻カニューレアセンブリ。
【請求項７】
前記ガス流マニホルド部の前記出口は、前記出口の前記周縁のまわりに延びる縁部を含み、および前記ベース部分の前記内部は、前記ガス流マニホルド部の前記出口の前記縁部を解放可能に受け入れるように構成された対応する凹部を含む、請求項６に記載の鼻カニューレアセンブリ。
【請求項８】
前記顔面取付部は、前記ガス流マニホルド部の前記出口を解放可能に受け入れるための、前記ベース部分の前記内部への少なくとも１つの実質的に水平の側部入り口路を含む、請求項１〜７のいずれか一項に記載の鼻カニューレアセンブリ。
【請求項９】
前記顔面取付部は、前記ベース部分の前記内部への、両側にある側部入り口路の対であって、それぞれが前記ガス流マニホルド部の前記出口を解放可能に受け入れるように構成されている、両側にある側部入り口路の対を含む、請求項８に記載の鼻カニューレアセンブリ。
【請求項１０】
前記一対の鼻突起の間の前記へこみ領域は、前記ベース部分を前記使用者の隔壁から離して広げ、さらに、使用時に、前記隔壁に作用する圧力を軽減するように構成されている、請求項１〜９のいずれか一項に記載の鼻カニューレアセンブリ。
【請求項１１】
前記ガス流マニホルド部の２つの反対の水平方向のいずれか一方から、顔面取付部に挿入可能であり、これは左側か、または右側のいずれかからである、請求項１〜１０のいずれか一項に記載の鼻カニューレアセンブリ。
【請求項１２】
前記ガス流マニホルド部の位置または場所は、前記顔面取付部に対して両側に可能である、請求項１〜１１のいずれか一項に記載の鼻カニューレアセンブリ。
【請求項１３】
前記顔面取付部はさらに、前記ベース部分の側部から横に延びる、少なくとも１つの細長い翼部分を有し、
前記一対の鼻突起は、前記ベース部分から横断方向に延び、
各翼部分は、使用時に、使用者の顔面の一部分と接触するように構成された外側面と、使用時に、前記使用者の顔面上で前記顔面取付部を安定させることを補助するために、前記翼部分の、前記外側面とは反対の側から前記翼部分に沿って交差する方向に延びる、細長い隆起部とを含む、
請求項１〜１２のいずれか一項に記載の鼻カニューレアセンブリ。
【請求項１４】
前記顔面取付部は、一対の翼部分を含み、該翼部分は、前記ベース部分の両側から横に延びる、請求項１〜１３のいずれか一項に記載の鼻カニューレアセンブリ。
【請求項１５】
前記翼部分の各々の末端部は、前記鼻突起及び／又は前記顔面取付部に隣接する前記翼部分の接触表面積よりも広い接触表面積を有する、請求項１３または１４に記載の鼻カニューレアセンブリ。
【請求項１６】
前記顔面取付部の前記翼部分は、前記顔面取付部又は前記顔面取付部の前記ベース部分の一般的な長手軸に対して角度をなしており、各翼部分の前記終端部は、前記ベース部分の長手方向の向きに対して鈍角に傾けられ、各翼部分は使用時に、概ね使用者のそれぞれの頬に向かう方向に延びる、請求項１３〜１５のいずれか一項に記載の鼻カニューレアセンブリ。
【請求項１７】
少なくとも１つの翼部分は、該翼部分の上側領域に沿って延びる細長い隆起部を含む、請求項１３〜１６のいずれか一項に記載の鼻カニューレアセンブリ。
【請求項１８】
前記一対の鼻突起の各々は、前記顔面取付部のベース部分とは反対側の、各々の前記鼻突起の末端部に細長い（くり抜かれた）開口を有する、請求項１〜１７のいずれか一項に記載の鼻カニューレアセンブリ。
【請求項１９】
前記一対の鼻突起の各々のベース部は、空気流れをより円滑にする湾曲面を含む、請求項１〜１８のいずれか一項に記載の鼻カニューレアセンブリ。
【請求項２０】
前記ガス流マニホルド部の前記外側面は窪みを有し、前記窪みは、前記顔面取付部の前記ベース部分のブリッジと係合するように構成されている、請求項１〜１９のいずれか一項に記載の鼻カニューレアセンブリ。
【請求項２１】
前記鼻カニューレアセンブリはさらに、前記ベース部分から前記翼部分の下側領域まで延び、両側に側部入り口を形成するブリッジを備える、請求項１〜２０のいずれか一項に記載の鼻カニューレアセンブリ。
【請求項２２】
前記鼻カニューレアセンブリは、ガス源からのガスの流れを受け入れるガス入り口と、前記ガスの流れを前記顔面取付部の少なくとも１つの鼻突起に供給するガス出口とを有するガス流マニホルド部をさらに含み、該マニホルド部は、該マニホルドの前記出口を前記顔面取付部の前記鼻突起と流体的に接続するために、前記顔面取付部のいずれかの側部入り口を通って、前記ベース部分によって受け入れられるように構成される、請求項１〜２１のいずれか一項に記載の鼻カニューレアセンブリ。
【請求項２３】
前記顔面取付部は、前記ベース部分の内部に形成された凹部をさらに含み、前記ガス流マニホルド部は、出口を前記顔面取付部の前記鼻突起に流体的に接続するために、前記凹部と解放可能に係合するように構成された対応する縁部を前記出口に含む、請求項１〜２２のいずれか一項に記載の鼻カニューレアセンブリ。
【請求項２４】
鼻カニューレアセンブリおよびヘッドギアを含む患者接続器であって、
請求項１〜２３のいずれか一項に記載の鼻カニューレアセンブリと、
患者接続器用のヘッドギアであって、
前記ヘッドギアの一部を形成して、患者接続器を使用者上で保持する、または安定させることを補助するストラップを含み、
顔面もしくは使用者の顔面の一部分に配置されるか、または顔面もしくは使用者の顔面の一部分に接触して置かれる前記ストラップまたは前記ストラップの一部分は、前記使用者の顔面と摩擦で係合する面領域を含み、前記面領域は、前記ヘッドギアの前記一部または一部を形成する前記ストラップの残部よりも相対的に高摩擦の面材料のものである、患者接続器用のヘッドギアと、
を含む患者接続器。
【請求項２５】
前記翼部分の各々は、各翼の前記末端部に設けられたクリップ保持体を備え、前記ストラップの終端部の各々は、クリップ要素を備え、前記クリップ保持体は前記ストラップのクリップ要素を前記鼻カニューレアセンブリに解放可能に連結するように構成されている、請求項２４に記載の患者接続器。
【請求項２６】
各面領域は、前記患者接続器からより離れた反対側の端部の表面部分よりも、前記患者接続器により隣接して配置される端部の表面部分の方が幅広の面である、請求項２４または２５に記載の患者接続器。
【請求項２７】
前記ストラップまたは前記ストラップのそれぞれの部分は、前記使用者の顔面の両側で、２つの対称部分と摩擦で係合する２つの対称面領域を含む、請求項２４〜２６のいずれか一項に記載の患者接続器。
【請求項２８】
各面領域は、前記ストラップまたは前記ストラップの前記それぞれの部分に付加される材料を含む、請求項２４〜２７のいずれか一項に記載の患者接続器。
【請求項２９】
前記付加される材料は、前記ストラップまたは前記ストラップのそれぞれの部分にオーバモールドされる、請求項２８に記載の患者接続器。
【請求項３０】
前記使用者の顔面の各部分には、前記使用者の頬が含まれる、請求項２４〜２９のいずれか一項に記載の患者接続器。